(57)【特許請求の範囲】
【請求項１】
それぞれに薬が収納された複数の包装袋が連なった包装袋帯を内部に収納可能な薬袋収納容器であって、
外郭を形成する周面部と、
前記周面部に設けられ内部に収納された前記包装袋を外部に取り出すための取出口と、
前記取出口に対応する位置で前記周面部から延び前記周面部との間で前記包装袋を挟持する挟持部と、を有し、
前記周面部は、筒状に形成され長手方向の両端側に前記包装袋帯を挿入可能な開口部を有する筒面部と、前記筒面部の前記開口部をそれぞれ閉塞する２個の蓋体と、を有し、
前記取出口と前記挟持部とは、前記筒面部に設けられ、
前記挟持部は、前記取出口の上方に位置して前記筒面部から外側に向けて延びる延出部と、前記延出部の先端に位置して前記包装袋を摺動可能に押える押え部と、を有し、
前記延出部は、前記２個の蓋体の間に延びており、
前記挟持部は、前記周面部よりも剛性が小さいことを特徴とする薬袋収納容器。
【請求項２】
前記挟持部は、前記包装袋帯を前記取出口の外部に引っ張り出すために前記延出部の先端に凹状に切り欠かれた切欠部または前記包装袋帯を前記取出口の外部に引っ張り出すために前記筒面部の外面に向けて貫通する窓部を有することを特徴とする請求項１に記載の薬袋収納容器。
【請求項３】
前記筒面部は、周方向に並んだ複数の板部材が連結して形成されていることを特徴とする請求項１または２に記載の薬袋収納容器。
【請求項４】
前記延出部は、周方向に並んだ複数の板部材が連結して形成されていることを特徴とする請求項３に記載の薬袋収納容器。
【請求項５】
前記押え部は、前記延出部から前記筒面部に向けて突出しており、かつ前記２個の蓋体の間に延びていることを特徴とする請求項１〜４のいずれか１項に記載の薬袋収納容器。
【請求項６】
前記筒面部は、前記取出口を形成する一側端部と他側端部とを有し、
前記延出部は、前記一側端部から前記他側端部を越えて前記筒面部の上方まで延び、
前記他側端部は、湾曲面を有していることを特徴とする請求項１〜５のいずれか１項に記載の薬袋収納容器。
【請求項７】
前記筒面部は、前記取出口を形成する一側端部と他側端部とを有し、
前記延出部は、前記一側端部から前記他側端部を越えて前記筒面部の上方まで延び、
前記他側端部は、前記筒面部の内部に向けて折り返される折返部となっていることを特徴とする請求項１〜５のいずれか１項に記載の薬袋収納容器。
【発明の詳細な説明】
【技術分野】
【０００１】
本発明の態様は、一般的に薬袋収納容器および薬袋収納容器の組立キットに関する。
【背景技術】
【０００２】
病院や薬局などから患者一人に対して複数の種類の薬が処方されることがある。このようなときに、患者は、複数の種類の薬をどれだけ服用すればよいか分からないことがあり、薬を飲み忘れたり、服用する順番を間違えたりする虞がある。これに対して、病院や薬局では、医師の処方により、１回当たり（例えば、朝食後）に服用する薬を１つの包装袋に一包化することがある。特許文献１、２には、包装袋が連続した包装袋帯を服用順に取り出すことができる薬袋収納容器（薬箱）が提案されている。
【先行技術文献】
【特許文献】
【０００３】
【特許文献１】登録実用新案第３１５４２１１号公報
【特許文献２】韓国登録特許第１０−１８９９９１０号公報
【発明の概要】
【発明が解決しようとする課題】
【０００４】
特許文献１に記載された薬袋収納容器は、包装袋が芯材に巻かれた状態で内部に収納されている。従って、この薬袋収納容器は、包装袋の最後の数袋を薬袋収納容器の取出口から取り出すときに、芯材と取出口との間に空の包装袋が必要になり、コストが増加する虞がある。また、包装袋は、取出口から垂れ下がっているだけなので、薬袋収納容器が倒れたり、薬袋収納容器を持ち運んだりしたときに、包装袋が薬袋収納容器の内部に落ちてしまう虞がある。
【０００５】
一方、特許文献２に記載された薬袋収納容器は、包装袋を切り取るときに押圧される加圧プレートに弾性的に接触する弾性支持体を容器の内部に設けている。そして、包装袋は、弾性支持体と加圧プレートとの間に挟持されることにより、ケース内に戻るのが抑制されている。しかし、包装袋は、加圧プレートの基端側で挟持されているので、例えば包装袋の長さが短い場合には最後の包装袋を挟持させることができない可能性がある。従って、このような場合にも、最後の包装袋の後に空の包装袋が必要になり、コストが増加する虞がある。
【０００６】
本発明の態様は、かかる課題の認識に基づいてなされたものであり、薬の管理を向上できるとともに、コストを低下することができる薬袋収納容器および薬袋収納容器の組立キットを提供することを目的とする。
【課題を解決するための手段】
【０００７】
本発明の態様は、複数の包装袋が連なった包装袋帯を内部に収納可能な薬袋収納容器であって、外郭を形成する周面部と、前記周面部に設けられ内部に収納された前記包装袋を外部に取り出すための取出口と、前記取出口に対応する位置で前記周面部から延び前記周面部との間で前記包装袋を挟持する挟持部と、を有し、前記挟持部は、前記取出口の上方に位置して前記周面部から外側に向けて延びる延出部と、前記延出部の先端に位置して前記包装袋を摺動可能に押える押え部と、を有することを特徴とする薬袋収納容器である。
【発明の効果】
【０００８】
本発明の態様によれば、薬の管理を向上できるとともに、コストを低下することができる薬袋収納容器および薬袋収納容器の組立キットが提供される。
【図面の簡単な説明】
【０００９】
【図１】第１実施形態に係る薬袋収納容器を示す斜視図である。
【図２】複数の包装袋が連なった包装袋帯を示す正面図である。
【図３】薬袋収納容器の挟持部を上方からみた平面図である。
【図４】薬袋収納容器の周面部、取出口、挟持部を図３中の矢示Ａ−Ａ方向からみた断面図である。
【図５】薬袋収納容器の周面部、取出口、挟持部を図３中の矢示Ｂ−Ｂ方向からみた断面図である。
【図６】取出口から包装袋を取り出す状態を示す図５と同様の断面図である。
【図７】図７（ａ）は、蓋体に筒面部を組み付けた状態を示す分解斜視図である。図７（ｂ）は、筒面部の内部に包装袋帯を収納する状態を示す分解斜視図である。
【図８】図１中の薬袋収納容器を展開して示す展開図である。
【図９】第１変形例に係る薬袋収納容器を示す図５と同様の断面図である。
【図１０】第２変形例に係る薬袋収納容器の窓部を示す斜視図である。
【図１１】第２実施形態に係る薬袋収納容器を示す斜視図である。
【図１２】図１１中の薬袋収納容器を矢示Ｃ−Ｃ方向からみた断面図である。
【図１３】図１１中の薬袋収納容器を展開して示す展開斜視図である。
【図１４】第３変形例に係る薬袋収納容器を示す斜視図である。
【図１５】図１４中の薬袋収納容器を矢示Ｄ−Ｄ方向からみた断面図である。
【図１６】図１４中の薬袋収納容器を展開して示す展開斜視図である。
【図１７】第４変形例に係る薬袋収納容器を示す斜視図である。
【図１８】図１７中の薬袋収納容器を展開して示す展開斜視図である。
【図１９】第５変形例に係る薬袋収納容器を示す斜視図である。
【図２０】図１９中の薬袋収納容器を矢示Ｅ−Ｅ方向からみた断面図である。
【発明を実施するための形態】
【００１０】
以下、本発明の実施形態について図面を参照しつつ説明する。なお、各図面中、同様の構成要素には同一の符号を付して詳細な説明は適宜省略する。  
【００１１】
図１は、第１実施形態に係る薬袋収納容器を示す斜視図である。
図２は、複数の包装袋が連なった包装袋帯を示す正面図である。
図３は、薬袋収納容器の挟持部を上方からみた平面図である。
図４は、薬袋収納容器の周面部、取出口、挟持部を図３中の矢示Ａ−Ａ方向からみた断面図である。
図５は、薬袋収納容器の周面部、取出口、挟持部を図３中の矢示Ｂ−Ｂ方向からみた断面図である。
図６は、取出口から包装袋を取り出す状態を示す図５と同様の断面図である。
図７（ａ）は、蓋体に筒面部を組み付けた状態を示す分解斜視図である。図７（ｂ）は、筒面部の内部に包装袋帯を収納する状態を示す分解斜視図である。
なお、図１〜図７中の包装袋内の薬は、説明の便宜上、主に先端に位置する包装袋の薬のみを示し、その他の包装袋内の薬を省略している。また、図５、図６では、筒面部の内部に収納されている包装袋を二点鎖線で簡略して示している。
図１に示すように、薬袋収納容器１は、箱状に形成され、複数の包装袋５１が連なった包装袋帯５０を内部に収納可能となっている。
【００１２】
包装袋帯５０は、患者が一回当たりに服用する薬Ｍが１つの包装袋５１に包装（一包化）されたものが連なったものである。包装袋帯５０は、例えば樹脂材料や紙などからなり、複数の包装袋５１を有する。隣り合う複数の包装袋５１は、切断線５２（ミシン目）を介して互いに接続されている。例えば、患者は、切断線５２において１つの包装袋５１を切り取り、その包装袋５１の中の薬Ｍを取り出すことで、１回当たりの薬Ｍを服用することができる。包装袋５１は、表面５１ａに例えば患者名、日付、服薬時間などが記載された服薬表示部５３を有している。なお、服薬表示部５３に記載される事項は、患者名、日付、および服薬時間に限定されるわけではない。また、服薬表示部５３は、包装袋５１の表面５１ａに貼付されたシールでもよい。なお、図１、図３、図７では、説明の便宜上、服薬表示部５３を省略している。
【００１３】
薬袋収納容器１は、例えば樹脂材料からなり、ロール状に巻き付けられた包装袋帯５０を内部に収納可能となっている。そして、薬袋収納容器１は、外郭を形成する周面部１０と、周面部１０に設けられた取出口２０と、取出口２０に対応する位置に設けられた挟持部３０と、を有する。
【００１４】
図１、図７に示すように、周面部１０は、円筒状に形成され長手方向（図１、図３、図７の紙面の左右方向）の両端側に包装袋帯５０を挿入可能な開口部１１ａを有する筒面部１１と、筒面部１１の各開口部１１ａをそれぞれ閉塞する蓋体１２と、を有している。すなわち、本実施形態では、薬袋収納容器１は、内部に包装袋帯５０を収納可能な筒面部１１と、筒面部１１の両端側を閉塞する２個の蓋体１２と、を有している。２個の蓋体１２は、同一形状となっている。従って、薬袋収納容器１は、筒面部１１と、蓋体１２との２種類、３部品で組み立てられる。なお、開口部１１ａおよびその開口部１１ａを閉塞する蓋体１２は、周面部１０の長手方向の少なくとも一方に設けられていればよい。すなわち、薬袋収納容器１は、筒面部１１と一方の蓋体１２とが一体となった有底円筒状に形成されていてもよい。
【００１５】
図３に示すように、筒面部１１は、内部に包装袋帯５０が収納可能なように、長手方向の長さ寸法Ｌ１が包装袋５１の幅寸法Ｌ２よりも大きく形成されている。また、筒面部１１は、例えば透明な材料により形成され、内部に収納された包装袋帯５０が視認可能となっている。なお、筒面部１１は、患者を特定するための模様やキャラクタなどの装飾が施されていてもよい。これにより、複数の患者が入院している病院や、介護施設などでの他人の薬と飲み間違えるのを抑制できる。
【００１６】
図４に示すように、筒面部１１の開口部１１ａ側には、蓋体１２を筒面部１１に取り付けるための嵌合部１１ｂが周方向にわたって形成されている。一方、蓋体１２には、嵌合部１１ｂに対応する位置に嵌合部１１ｂが挿入される凹部１２ａが形成されている。すなわち、凹部１２ａは、蓋体１２の外側端部に周方向にわたって形成されている。
【００１７】
蓋体１２は、凹部１２ａを筒面部１１の嵌合部１１ｂに嵌め込むことにより、筒面部１１に取り付けられる。凹部１２ａの深さは、取出口２０から筒面部１１の外側端部までの長さに対応している。これにより、蓋体１２を筒面部１１に取り付けたときには、凹部１２ａの先端が挟持部３０の延出部３１に接触するようになっている。なお、筒面部１１に凹部が形成され、蓋体１２に嵌合部が形成されていてもよい。すなわち、蓋体１２が筒面部１１に対して着脱可能に取り付けられればどのようなものでもよい。
【００１８】
蓋体１２は、例えば樹脂材料からなり、筒面部１１の内部を視認できるように透明に形成されている。ここで、包装袋帯５０は、ロール状に巻き付けた状態で、包装袋５１の表面５１ａが筒面部１１の内面に対面するように筒面部１１の内部に収納される。これにより、患者は、蓋体１２を筒面部１１から取り外さなくても、筒面部１１の内部に収納された包装袋帯５０を外部から視認して、包装袋５１の残量を確認することができる。なお、蓋体１２は、患者を特定するための模様やキャラクタなどの装飾が施されていてもよい。これにより、複数の患者が入院している病院や、介護施設などでの他人の薬と飲み間違えるのを抑制できる。
【００１９】
取出口２０は、筒面部１１に設けられている。この取出口２０は、筒面部１１の内部に収納された包装袋５１を外部に取り出すための開口である。そのために、取出口２０は、筒面部１１の内部と外部との間を連通している。取出口２０は、筒面部１１に取り付けられた２個の蓋体１２の間に形成されている。
【００２０】
図３に示すように、取出口２０の長手方向の長さ寸法Ｌ３は、包装袋５１の幅寸法Ｌ２よりも大きく、筒面部１１の長手方向の長さ寸法Ｌ１よりも小さく形成されている（Ｌ２＜Ｌ３＜Ｌ１）。また、取出口２０の周方向の長さ寸法Ｌ４は、包装袋５１を取出口２０から取り出すことができる長さに形成されている。すなわち、取出口２０の周方向の長さ寸法Ｌ４は、包装袋５１の内部に収納された薬Ｍの厚さを考慮して形成されている。
【００２１】
挟持部３０は、筒面部１１に設けられている。具体的には、挟持部３０は、取出口２０に対応する位置で周面部１０の筒面部１１から延びている。挟持部３０は、例えば筒面部１１に接着されている。なお、挟持部３０は、例えばピンなどの接合部材で筒面部１１に組み込まれていてもよい。この挟持部３０は、筒面部１１との間で包装袋５１を挟持する。
【００２２】
挟持部３０は、例えばシリコーン、ゴムなどの樹脂材料からなり、筒面部１１（周面部１０）よりも剛性が小さくなっている。この場合、挟持部３０は、筒面部１１よりも軟質な材料で形成されていてもよいし、筒面部１１よりも厚みを小さくしていてもよい。すなわち、挟持部３０は、筒面部１１よりも変形しやすくなっている。そして、挟持部３０は、取出口２０の上方に位置して筒面部１１から離れるように外側に向けて延びる延出部３１と、延出部３１の先端３１ａから筒面部１１の外面１１ｃに向けて延び、包装袋５１を筒面部１１に対して押える押え部３２と、を有している。
【００２３】
延出部３１は、包装袋帯５０を取出口２０から引っ張り出すときの包装袋帯５０の流れ方向の上流側に位置する取出口２０の一側端部２０ａから取出口２０の上方に向けて延びている。延出部３１は、先端３１ａ側が一側端部２０ａに対向する取出口２０の他側端部２０ｂを越えて筒面部１１の上方まで延びている。すなわち、延出部３１は、取出口２０の外側を覆っている。これにより、延出部３１は、例えば取出口２０から水などが浸入するのを抑制できる。他側端部２０ｂは、例えば角部を有さない湾曲面となっていてもよい。これにより、包装袋帯５０を取出口２０から滑らかに取り出すことができる。
【００２４】
延出部３１は、取出口２０および筒面部１１の間に隙間Ｓを形成している。この隙間Ｓは、包装袋帯５０を筒面部１１の内部から外部に取り出すための通路となっている。延出部３１は、例えば透明な材料により形成されている。これにより、包装袋帯５０を取出口２０から引っ張り出すときの状態を確認することができるので、包装袋帯５０の取り出しやすさを向上できる。また、患者は、延出部３１を介して包装袋５１の服薬表示部５３を視認することができるので、蓋体１２を筒面部１１から取り外さなくても次に服用する薬の時間を確認することができる。
【００２５】
押え部３２は、延出部３１の先端３１ａから筒面部１１の外面１１ｃに向けて突出している。この押え部３２は、包装袋５１を筒面部１１との間で挟持して、包装袋５１が筒面部１１の内部に落ち戻るのを抑制するものである。また、押え部３２は、包装袋５１を包装袋帯５０から切り取るときに、次の包装袋５１を押さえるものである。
【００２６】
具体的には、使用する包装袋５１を引っ張ると、包装袋５１が押え部３２と筒面部１１との間で摺動しながら引き出されて、包装袋５１内の薬Ｍが押え部３２の内面側に接触する。そして、図６に示すように、薬Ｍの厚みにより延出部３１を矢示Ｆ方向に変形させながら、包装袋５１を引っ張り出すことができる。薬Ｍが押え部３２から外れると、延出部３１の付勢力により包装袋５１を筒面部１１との間で挟持する。なお、薬Ｍが押え部と筒面部１１との間を通過するときには、延出部３１が変形することなく、押え部３２が弾性変形してもよい。
【００２７】
そして、図３に示すように、患者は、使用する包装袋５１を切断線５２が押え部３２から出るまで引っ張り出す。その後、延出部３１を押さえることにより、押え部３２が次の包装袋５１を押さえて使用する包装袋５１を切断線５２により包装袋帯５０から切り離すことができる。そして、押え部３２は、患者が延出部３１から指を離しても、次の包装袋５１の先端側を筒面部１１に押さえ付けて次の包装袋５１を保持する。
【００２８】
そのために、押え部３２は、例えば筒面部１１の外面１１ｃに向けて所定の力で押圧されている。換言すると、押え部３２は、延出部３１の付勢力により筒面部１１に向けて押圧されている。この押圧力は、包装袋帯５０を引っ張り出すときに、包装袋５１が破れない力、包装袋５１内の薬Ｍが割れない力、および包装袋５１が筒面部１１の内部に落ち戻るのを抑制することができる力に設定されている。すなわち、押え部３２の押圧力や形状は、包装袋帯５０の取り出しやすさと、包装袋５１の保持との両方を満たすように、包装袋５１や薬Ｍの強度、重量などを考慮して、例えば実験、シミュレーションなどにより設定される。
【００２９】
押え部３２は、例えば延出部３１の先端３１ａを長手方向に沿って延びている。しかし、押え部３２は、これに限らず、例えば押え部３２を延出部３１の先端３１ａに所定の間隔をもって複数個設けてもよいし、押え部３２を延出部３１の先端３１ａに１個設けてもよい。例えば、押え部３２を延出部３１の長手方向の両端側に設けることで、両端の押え部３２間に薬Ｍを通すことができるので、包装袋帯５０を円滑に引っ張り出すことができる。
【００３０】
切欠部３３は、挟持部３０の先端側に設けられている。具体的には、切欠部３３は、延出部３１の長手方向の中央に位置して、延出部３１の先端３１ａから凹状に切り欠かれている。図３に示すように、切欠部３３は、長手方向の長さ寸法Ｌ５が指を挿入できるような大きさに形成されている。これにより、患者は、例えば押え部３２から突出する包装袋５１の突出量が小さくても、切欠部３３に指を挿入して包装袋帯５０を引っ張り出すことができる。本実施形態では、切欠部３３を１個設けた場合を例に挙げて説明したが、切欠部３３は複数個設けられていてもよい。
【００３１】
薬表示部１００は、筒面部１１の外面１１ｃに設けられている。この薬表示部１００は、例えば筒面部１１の外面１１ｃに貼付されたシールとなっている。なお、薬表示部１００は、筒面部１１の外面１１ｃに直接印字されていてもよい。薬表示部１００は、例えば患者氏名、薬Ｍの用法、用量、調剤年月日、薬剤師の氏名など薬剤師法や厚生労働省令に定められた事項が記載されている。これにより、例えば薬局や病院などは、薬袋収納容器１の内部に包装袋帯５０を収納した状態で、患者に薬Ｍを処方することができる。従って、患者が包装袋帯５０を薬袋収納容器１の内部に収納する作業が無くなるので、煩わしさを低減することができる。
【００３２】
本実施形態による薬袋収納容器１は、上述の如き構成を有するもので、次に薬袋収納容器１の使用方法について説明する。
【００３３】
図７（ａ）に示すように、まず、図８に示すような板状体の筒面部１１を丸めて一方側の嵌合部１１ｂを蓋体１２の凹部１２ａに嵌め込むことで、円筒状の筒面部１１を形成することができる。次に、図７（ｂ）に示すように、一番内側に最後に服薬する包装袋５１を位置させた状態で包装袋帯５０をロール状に巻き付け、この包装袋帯５０を筒面部１１の他方側の開口部１１ａから筒面部１１の内部に挿入する。そして、一番先端側に位置する（最初に服薬する）包装袋５１を取出口２０から筒面部１１の外部に出して、包装袋５１の先端側を押え部３２と筒面部１１との間に挟む。最後に、蓋体１２の凹部１２ａを筒面部１１の他方側の嵌合部１１ｂに嵌め込むことにより、蓋体１２を筒面部１１に取り付ける。
【００３４】
薬袋収納容器１に収納された包装袋帯５０は、例えば複数の薬Ｍが一包化された包装袋５１を１回ずつ服用順に取り出すことができる。ここで、上述した従来技術（特許文献１）では、包装袋が芯材に巻かれた状態で内部に収納されている。従って、従来技術による薬袋収納容器は、包装袋の最後の数袋を薬袋収納容器の取出口から取り出すときに、芯材と取出口との間に空の包装袋が必要になり、コストが増加する虞がある。また、包装袋は、取出口から垂れ下がっているだけなので、薬袋収納容器が倒れたり、薬袋収納容器を持ち運んだりしたときに、包装袋が薬袋収納容器の内部に落ちてしまう虞がある。
【００３５】
また、上述した他の従来技術（特許文献２）では、包装袋を切り取るときに押圧される加圧プレートに弾性的に接触する弾性支持体を容器の内部に設けている。そして、包装袋は、弾性支持体と加圧プレートとの間に挟持されることにより、ケース内に戻るのが抑制されている。しかし、包装袋は、加圧プレートの基端側で挟持されているので、例えば包装袋の長さが短い場合には最後の包装袋を挟持させることができない可能性がある。従って、このような場合にも、最後の包装袋の後に空の包装袋が必要になり、コストが増加する虞がある。
【００３６】
そこで、本実施形態による薬袋収納容器１は、外郭を形成する周面部１０と、周面部１０に設けられ内部に収納された包装袋５１を外部に取り出すための取出口２０と、取出口２０に対応する位置で周面部１０から延び周面部１０との間で包装袋５１を挟持する挟持部３０と、を有し、挟持部３０は、取出口２０の上方に位置して周面部１０から外側に向けて延びる延出部３１と、延出部３１の先端３１ａで包装袋５１を摺動可能に押える押え部３２と、を有している。
【００３７】
これにより、薬Ｍの管理を向上できるとともに、コストを低下することができる。例えば、薬袋収納容器１の内部に包装袋５１を巻き付ける芯材を設けなくても最後の包装袋５１を取り出すことができる。また、最後の包装袋５１を取り出すための不要な包装袋を用いる必要がなくなる。従って、コストを低減することができる。
【００３８】
また、薬袋収納容器１の内部に包装袋５１を保持する芯材などを設けなくてもよいので、薬袋収納容器１を小型化しても十分な数の包装袋５１を収納できる。さらに、挟持部３０は、包装袋５１を周面部１０との間に保持するので、例えば薬袋収納容器１を持ち運ぶときに、包装袋５１が薬袋収納容器１の内部に落ち戻るのを抑制できる。
【００３９】
また、周面部１０は、薬袋収納容器１の外郭を形成するもので、筒面部１１と、２枚の蓋体１２とにより構成されている。筒面部１１は、円筒状に形成され長手方向の少なくとも一方に包装袋帯５０を挿入可能な開口部１１ａを有している。蓋体１２は、筒面部１１の開口部１１ａを閉塞している。そして、筒面部１１には、取出口２０と、挟持部３０とが設けられている。取出口２０は、筒面部１１の内部に収納された包装袋５１を取り出すための開口となっている。挟持部３０は、包装袋５１を筒面部１１との間で挟持して包装袋５１を保持する。
【００４０】
これにより、薬袋収納容器１を持ちやすくすることができるので、包装袋５１の取り出しやすさを向上できる。また、筒面部１１に、取出口２０と挟持部３０とが設けられているので、蓋体１２を上下方向に位置させて複数の薬袋収納容器１を積み重ねることができる。従って、例えば病院や介護施設などの複数の患者がいる施設などでも、狭いスペースに多くの薬袋収納容器１を保管することができる。
【００４１】
また、蓋体１２は、内部が見える素材または形状となっており、例えば透明であったり、スリットが形成されたりしている。これにより、筒面部１１の内部に収納された包装袋５１の残量を蓋体１２を筒面部１１から取り外さなくても確認することができる。すなわち、筒面部１１の内部にロール状に巻き付けた包装袋帯５０を見ることで、感覚的に包装袋５１の残量を認識することができる。
【００４２】
また、挟持部３０は、周面部１０（筒面部１１）よりも剛性が小さくなっている。これにより、包装袋５１を引っ張り出すときに、包装袋５１や薬Ｍが挟持部３０に接触しても、包装袋５１や薬Ｍが破損するのを抑制できる。また、包装袋５１を包装袋帯５０から切り離すときに、挟持部３０を周面部１０に押し付けて、次の包装袋５１を効率よく押さえることができる。
【００４３】
また、挟持部３０は、取出口２０の上方に位置して周面部１０（筒面部１１）から離れるように外側に向けて延びる延出部３１と、延出部３１の先端から周面部１０（筒面部１１）の外面１１ｃに向けて延び包装袋５１を周面部１０（筒面部１１）に対して押える押え部３２と、を有する。
【００４４】
これにより、包装袋５１は、押え部３２との接触面積が可及的に小さくなっている。従って、包装袋５１の取り出しやすさを向上できる。また、包装袋５１を引っ張り出したときに、包装袋５１内の薬Ｍが押え部３２に一旦引っ掛かるので、不必要に多くの包装袋５１が引っ張り出されるのを抑制できる。すなわち、薬Ｍが押え部３２の内面側に接触することにより、切断線５２が押え部３２を通過する前に引っ張り出している包装袋５１の抵抗が大きくなる。従って、患者は、使用する包装袋５１の切断線５２が押え部３２の外部に出てくるのを感触で認識することができる。
【００４５】
また、包装袋５１の先端側を押え部３２で保持させた場合には、包装袋５１はその大部分が隙間Ｓ内に位置するので、外部から延出部３１により保護される。従って、包装袋５１が外部から衝撃を受けて破損したり、被水して汚れたりするのを抑制できる。また、例えば延出部３１を透明とすることにより、包装袋５１の服薬表示部５３が隙間Ｓ内にあっても服薬表示部５３を確認することができるので、薬Ｍの飲み忘れを抑制できる。
【００４６】
また、他の使用態様としては、例えば次に使用する包装袋５１を押え部３２から取り出しておいてもよい。このような場合には、包装袋５１が筒面部１１の内部に戻ろうとしたときに包装袋５１の内部の薬Ｍが押え部３２の外面に接触する。従って、押え部３２は、包装袋５１が筒面部１１の内部にそれ以上移動するのを規制する。その結果、例えば薬袋収納容器１を持ち運ぶときなどに、包装袋５１が筒面部１１の内部に落ち戻るのを抑制できる。
【００４７】
また、挟持部３０は、延出部３１の先端に凹状に切り欠かれた切欠部３３を有する。これにより、押え部３２から突出する包装袋５１の突出量が小さくても、切欠部３３から包装袋５１を引っ張り出すことができる。従って、切欠部３３は、包装袋５１の引っ張り出しやすさを向上できる。
【００４８】
図８は、薬袋収納容器を展開して示す展開図である。図８では、筒面部１１の内面側を示している。
図８に示すように、薬袋収納容器１は、挟持部３０を有する筒面部１１と、２個の蓋体１２との２種類、３部材により形成される組立キットとすることができる。ここで、例えば工場などで筒面部１１を筒状体として成形した場合には、筒状体がかさばるので、多くの筒面部１１を郵送するのにコストが増加する虞がある。
【００４９】
そこで、筒面部１１は、例えば柔軟性を有する可撓性材料により形成してもよい。これにより、図８に示すように、筒面部１１は、蓋体１２に組み付けられる前の状態では板状体とすることができる。薬袋収納容器１は、少ない部品点数（２種類、３部材）により形成された組立キットとなっている。その結果、薬袋収納容器１は、薬袋収納容器１の組立キットとして、少ない部品点数で、かつ多量に郵送することができるので、コストを削減することができる。
【００５０】
そして、包装袋帯５０を筒面部１１の内部に収納するときには、板状体の筒面部１１の嵌合部１１ｂを蓋体１２の凹部１２ａに嵌め込むことで、筒状の筒面部１１を形成することができる。この場合、筒面部１１は、嵌合部１１ｂの長手方向（図８中の左右方向）の長さが蓋体１２の凹部１２ａの円周の長さよりも小さくなっている。この嵌合部１１ｂの長さと凹部１２ａの円周の長さとの差分により取出口２０が形成される。すなわち、組み立てられた状態では、筒面部１１の一側端部２０ａと他側端部２０ｂとの間に取出口２０が形成される。この場合、取出口２０の外側は、挟持部３０により覆われている。一方、蓋体１２は、凹部１２ａの先端が挟持部３０に接触している。これにより、取出口２０から筒面部１１の内部に水が浸入するのを抑制でき、防滴性に優れた薬袋収納容器１とすることができる。
【００５１】
このように、薬袋収納容器１を組立キットにすることで、組み立て前には筒面部１１を板状体とすることができるので、例えば複数枚を積み重ねることでかさばらずに郵送したり、省スペースで保管したりすることができる。そして、薬袋収納容器１は、筒面部１１を蓋体１２に嵌め込むだけで形成されるので、例えば病院や薬局などで簡単かつ迅速に組み立てることができる。また、例えば筒面部１１が破損した場合でも筒面部１１のみを交換することができるので、コストを低減することができる。従って、薬袋収納容器１は、薬Ｍを提供する病院や薬局および患者の使い勝手を向上することができる。
【００５２】
図９は、第１変形例による薬袋収納容器１を示す図５と同様の断面図である。図９では、先端に位置する包装袋５１内の薬Ｍのみを示し、その他の包装袋５１内の薬は省略している。
上述した第１実施形態では、取出口２０の他側端部２０ｂが湾曲面となっている場合を例に挙げて説明した。しかし、本発明の実施形態はこれに限らず、例えば図９に示す第１変形例のように、取出口２０の他側端部を断面Ｕ字状の折返部４０としてもよい。これにより、包装袋５１を円滑に取出口２０に移動させることができる。
【００５３】
図１０は、第２変形例による薬袋収納容器の窓部を示す斜視図である。
上述した第１実施形態では、挟持部３０は延出部３１の先端３１ａに凹状に切り欠かれた切欠部３３を有する場合を例に挙げて説明した。しかし、本発明の実施形態はこれに限らず、例えば図１０に示す第２変形例のように、挟持部３０は、周面部１０（筒面部１１）の外面１１ｃに向けて貫通する窓部３５を有してもよい。これにより、窓部３５に指を挿入して包装袋帯５０を引っ張り出すことができる。
【００５４】
次に、第２実施形態に係る薬袋収納容器２を図１１〜図１３を参照して説明する。第２実施形態に係る薬袋収納容器２は、筒面部６０が複数の板部材６１が連なったものとした場合を示している。なお、第２実施形態では、上述した第１実施形態と同一の構成に同一の符号を付し、その説明を省略する。
【００５５】
図１１は、第２実施形態に係る薬袋収納容器２を示す斜視図である。
図１２は、図１１中の薬袋収納容器２を矢示Ｃ−Ｃ方向からみた断面図である。
図１３は、図１１中の薬袋収納容器２を展開して示す展開斜視図である。
図１１〜図１３に示すように、薬袋収納容器２は、複数の包装袋５１が連なった包装袋帯５０を内部に収納可能としている。
【００５６】
薬袋収納容器２は、外郭を形成する周面部１０と、周面部１０に設けられ内部に収納された包装袋５１を外部に取り出すための取出口２０と、取出口２０に対応する位置で周面部１０から延び周面部１０との間で包装袋５１を挟持する挟持部６５と、を有している。そして、周面部１０は、長手方向の少なくとも一方に包装袋帯５０を挿入可能な開口部６０ａを有する筒面部６０と、筒面部６０の開口部６０ａを閉塞する蓋体１２と、を有している。本実施形態では、筒面部６０の長手方向の両端側に位置する開口部６０ａと、それぞれの開口部６０ａを閉塞する２個の蓋体１２と、を有している。なお、筒面部６０は、有底筒状に形成され、長手方向の一方に蓋体１２に閉塞される開口部６０ａを有していてもよい。
【００５７】
筒面部６０は、例えば樹脂材料や金属材料からなり、周方向に並んだ複数の板部材６１が連結されて形成されている。筒面部６０は、例えばプラスチックダンボールからなり、複数の板部材６１により蛇腹状に形成されている。筒面部６０は、複数の板部材６１と、隣り合う板部材６１を接続する接続部６３と、を有している。
【００５８】
板部材６１は、筒面部６０の長手方向に延びる薄板材からなり、長手方向の外側端部に嵌合部６２を有している。この嵌合部６２は、例えば板部材６１の内面と外面との両方に設けられている。なお、嵌合部６２は、板部材６１の内面と外面とのうち少なくとも一方に設けられていてもよい。筒面部６０は、嵌合部６２を蓋体１２の凹部１２ａ内に嵌め込むことにより、蓋体１２に取り付けられる。そのために、嵌合部６２は、挟持部６５よりも長手方向の外側に設けられている。
【００５９】
接続部６３は、隣り合う板部材６１の間に位置して長手方向に沿って延び、可撓性を有している。この接続部６３は、例えば厚さが板部材６１の厚さよりも小さく形成され、屈曲および折曲可能となっている。接続部６３は、例えば板部材６１の外面側で隣り合う板部材６１を接続している。筒面部６０は、蓋体１２の凹部１２ａに嵌合部６２を嵌め込みながら、接続部６３を屈曲および折曲げることにより円筒状に形成できる。
【００６０】
挟持部６５は、筒面部６０に設けられ、取出口２０の上方に位置している。挟持部６５は、板部材６１の長手方向の長さよりも短く形成され、一方の端部に位置する板部材６１の中央部分から板部材６１の長手方向に直交する方向（周方向）に延びている。換言すると、挟持部６５は、組み立てられた状態で筒面部６０の周方向の一側端部２０ａから他側端部２０ｂの上方に向けて延び、筒面部６０との間で包装袋５１を挟持する。挟持部６５は、例えば筒面部６０と同じ樹脂材料や金属材料により形成されている。
【００６１】
そして、挟持部６５は、取出口２０の上方に位置して筒面部６０から外側に向けて延びる延出部６５ａと、延出部６５ａの先端に位置して包装袋５１を摺動可能に押える押え部６５ｂと、を有している。
【００６２】
延出部６５ａは、例えば筒面部６０と同様に、周方向に並んだ複数の板部材６６と、隣り合う板部材６６との間を接続する接続部６７と、を有している。本実施形態では、延出部６５ａは、例えば３枚の板部材６６により形成されている。接続部６７は、屈曲および折曲可能となっている。これにより、包装袋５１は、筒面部６０を構成する板部材６１と挟持部６５を構成する板部材６６との間に挟持される。そして、図１１、図１２に示すように、先端側に位置する板部材６６の先端が包装袋５１を摺動可能に押える押え部６５ｂとなっている。すなわち、押え部６５ｂは、板部材６６の自重により包装袋５１を押さえている。
【００６３】
図１３は、薬袋収納容器２を展開して示す展開斜視図である。図１３では、筒面部６０の内面側を示している。
図１３に示すように、薬袋収納容器２は、挟持部６５を有する筒面部６０と、２個の蓋体１２との２種類、３部材により形成される組立キットとすることができる。この場合、筒面部６０は、蓋体１２に組み付けられる前の状態では板状体となっている。その結果、薬袋収納容器２は、薬袋収納容器２の組立キットとして、少ない部品点数で、かつ多量に郵送することができるので、コストを削減することができる。
【００６４】
そして、薬袋収納容器２を組み立てるときには、板状体の筒面部６０の接続部６３を屈曲および折曲げながら、嵌合部６２を蓋体１２の凹部１２ａに嵌め込むことで、円筒状の筒面部６０を形成することができる。なお、筒面部６０の板部材６１も可撓性を有していてもよい。組み立てられた状態では、筒面部６０の一側端部２０ａと他側端部２０ｂとの間に取出口２０が形成される。そして、挟持部６５を挟んだ左右両側には、蓋体１２がそれぞれ設けられている。
【００６５】
かくして、このように構成された薬袋収納容器２も第１実施形態による薬袋収納容器１と同様に、薬Ｍの管理を向上できるとともに、コストを低下させることができる。また、薬袋収納容器２を組立キットとすることで、郵送にかかる費用が削減されたり、保管に必要なスペースを小さくしたりすることができる。さらに、薬袋収納容器２は、筒面部６０を複数の板部材６１と接続部６７とにより蛇腹状に形成したことで、接続部６７で屈曲および折り曲げやすくなっており、簡単に組み立てることができる。従って、薬袋収納容器２は、病院や薬局および患者の使い勝手を向上することができる。
【００６６】
図１４〜図１６は、第３変形例による薬袋収納容器３を示している。
図１４は、第３変形例に係る薬袋収納容器３を示す斜視図である。
図１５は、図１４中の薬袋収納容器を矢示Ｄ−Ｄ方向からみた断面図である。
図１６は、図１４中の薬袋収納容器を展開して示す展開斜視図である。
上述した第２実施形態では、筒面部６０を丸めて円筒状の薬袋収納容器２とした場合を例に挙げて説明した。しかし、本発明の実施形態はこれに限らず、例えば図１４〜図１６に示すように、角筒状（直方体形状）の薬袋収納容器３としてもよい。すなわち、第２実施形態による円形状の蓋体１２に代えて、四角形状の蓋体７５としてもよい。この場合、四角形状の蓋体７５の凹部７５ａに合わせて筒面部６０の接続部６３を折曲げながら、嵌合部６２を蓋体７５の凹部７５ａに嵌め込むことにより、角筒状の薬袋収納容器３を組み立てることができる。
【００６７】
図１７、図１８は、第４変形例による薬袋収納容器４を示す斜視図である。
図１７は、第４変形例に係る薬袋収納容器４を示す斜視図である。
図１８は、図１７中の薬袋収納容器を展開して示す展開斜視図である。
図１７では、先端に位置する包装袋５１内の薬Ｍのみを示し、その他の包装袋５１内の薬は省略している。
上述した第１実施形態では、円筒状の薬袋収納容器１を用いた場合を例に挙げて説明した。しかし、本発明の実施形態はこれに限らず、例えば図１７、図１８に示す第４変形例のように、薬袋収納容器４は、直方体形状としていてもよい。この場合、包装袋帯５０が収納される筒面部８０を上方が開口部８０ａとなる有底筒状（ボックス状）としてもよい。そして、筒面部８０の開口部８０ａを閉塞する蓋体８２に取出口２０と挟持部３０とが設けられていてもよい。挟持部３０は、取出口２０から外部に取り出された包装袋５１を蓋体８２の外面との間で挟持する。
【００６８】
そして、図１８に示すように、薬袋収納容器４の筒面部８０は、組み立てられる前の状態では屈曲および折曲可能な板状体になっている。具体的には、筒面部８０は、複数（例えば、５枚）の板部材８０ｂと、各板部材８０ｂを接続する接続部８０ｃと、を有している。
【００６９】
そして、薬袋収納容器４は、接続部８０ｃを屈曲および折り曲げて、上方（開口部８０ａ）に蓋体８２を被せることにより組み立てることができる。すなわち、薬袋収納容器４は、筒面部８０と、蓋体８２との２種類２部材で組み立てられる組立キットとなっている。なお、取出口２０と挟持部３０とを蓋体８２ではなく、筒面部８０に設けていてもよい。また、薬袋収納容器４が直方体形状の場合には、包装袋帯５０を折り畳んで収納してもよい。
【００７０】
図１９は、第５変形例に係る薬袋収納容器５を示す斜視図である。
図２０は、図１９中の薬袋収納容器５を矢示Ｅ−Ｅ方向からみた断面図である。
図１９、図２０では、先端に位置する包装袋５１内の薬Ｍのみを示し、その他の包装袋５１内の薬は省略している。
上述した第１実施形態では、挟持部３０が筒面部１１の外側に向かって延び、押え部３２が筒面部１１の外面１１ｃとの間で包装袋５１を挟持した場合を例に挙げて説明した。しかし、例えば図１９、図２０に示す第５変形例のように、薬袋収納容器５の挟持部９１は、周面部１０（筒面部１１）から筒面部１１の内部に向けて延びる延出部９２と、延出部９２の先端から筒面部１１の内面に向けて延びる押え部９３と、を有していてもよい。すなわち、包装袋５１は、周面部１０（筒面部１１）の内面と押え部９３との間で挟持されてもよい。この場合、延出部９２の上方に位置する周面部１０に切欠部９４を設けてもよい。
【００７１】
なお、上述した実施形態では、円筒状および角筒状（直方体形状）の薬袋収納容器を例に挙げて説明した。しかし、本発明はこれに限らず、例えば多角形状の薬袋収納容器としてもよい。すなわち、蓋体を円形、四角形、五角形、および六角形など、種々の形状とすることにより、バリエーションに富んだ薬袋収納容器とすることができる。これにより、例えば病院などでどの患者の薬袋収納容器かを簡単に見分けることができる。
【００７２】
また、上述した第１実施形態では、薬袋収納容器１が樹脂材料で形成されている場合を例に挙げて説明した。しかし、本発明はこれに限らず、例えば薬袋収納容器１を金属材料で形成してもよい。
【００７３】
また、上述した第２実施形態の薬袋収納容器２では、挟持部６５が複数の板部材６６により形成された場合を例に挙げて説明した。しかし、本発明はこれに限らず、例えば挟持部６５に代えて、第１実施形態の薬袋収納容器１による挟持部３０を筒面部６０に設けてもよい。これにより、包装袋５１は、筒面部６０との間で挟持部３０の押圧力により保持される。このことは、第３変形例の薬袋収納容器３についても同様である。
【００７４】
また、上述した第２実施形態の薬袋収納容器２では、筒面部６０および挟持部６５が長手方向に延びる１枚の板部材６１、６６が周方向に連結された蛇腹状となっている場合を例に挙げて説明した。しかし、本発明はこれに限らず、例えば長手方向で複数の板部材が連結されたベルト状やメッシュ状の筒面部および挟持部としてもよい。このことは、第３変形例についても同様である。
【００７５】
また、上述した第２実施形態の薬袋収納容器２では、接続部６３、６７の長手方向の長さを板部材６１、６６と同じ長さで形成した場合を例に挙げて説明した。しかし、接続部の長手方向の長さを板部材の長さよりも短く形成してもよい。このことは、第３、第４変形例についても同様である。
【００７６】
また、上述した実施形態では、複数種類の薬Ｍが一包化された包装袋５１を例に挙げて説明した。しかし、本発明はこれに限らず、例えば包装袋５１には１種類の薬が収容されたものでもよい。
【００７７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、薬袋収納容器や薬袋収納容器の組立キットなどが備える各要素の形状、寸法、材質、配置などの設置形態などは、例示したものに限定されるわけではなく適宜変更することができる。また、前述した実施形態や変形例が備える各要素は、技術的に可能な限りにおいて組み合わせることができ、これらを組み合わせたものも本発明の特徴を含む限り本発明の範囲に包含される。
【符号の説明】
【００７８】
１〜５ 薬袋収納容器、  １０ 周面部、  １１,６０,８０ 筒面部、  １１ａ,６０ａ,８０ａ 開口部、  １１ｂ,６２ 嵌合部、  １１ｃ 外面、  １２,７５,８２ 蓋体、  １２ａ,７５ａ 凹部、  ２０ 取出口、  ２０ａ 一側端部、  ２０ｂ 他側端部、  ３０ 挟持部、  ３１ 延出部、  ３１ａ 先端、  ３２ 押え部、  ３３ 切欠部、  ３５ 窓部、  ４０ 折返部、  ５０ 包装袋帯、  ５１ 包装袋、  ５１ａ 表面、  ５２ 切断線、  ５３ 服薬表示部、  ６１,６６,８０ｂ 板部材、  ６３,６７,８０ｃ 接続部、  ６５ 挟持部、  ６５ａ 延出部、  ６５ｂ 押え部、  ９１ 挟持部、  ９２ 延出部、  ９３ 押え部、  ９４ 切欠部、  １００ 薬表示部、  Ｍ 薬、  Ｓ 隙間
【図１】
0006963842.tif 000002
【図２】
0006963842.tif 000003
【図３】
0006963842.tif 000004
【図４】
0006963842.tif 000005
【図５】
0006963842.tif 000006
【図６】
0006963842.tif 000007
【図７】
0006963842.tif 000008
【図８】
0006963842.tif 000009
【図９】
0006963842.tif 000010
【図１０】
0006963842.tif 000011
【図１１】
0006963842.tif 000012
【図１２】
0006963842.tif 000013
【図１３】
0006963842.tif 000014
【図１４】
0006963842.tif 000015
【図１５】
0006963842.tif 000016
【図１６】
0006963842.tif 000017
【図１７】
0006963842.tif 000018
【図１８】
0006963842.tif 000019
【図１９】
0006963842.tif 000020
【図２０】
0006963842.tif 000021